(57)【特許請求の範囲】
【請求項１】
電線付きの一対の端子を挿入収容するハウジングと、該ハウジングの底部に装着される電線取出部材とを備え、該ハウジングが底壁に端子挿入用兼電線貫通用の一対の孔部を有し、該電線取出部材が、該端子の挿入方向とは直交する方向に突出した一対の電線取出部と、該一対の電線取出部の各上壁に設けられ、該電線取出部内を該孔部に連通させる端子挿入用兼電線貫通用の一対の開口と、各上壁に対向して各電線取出部の下部開口を塞ぐカバー部と、該ハウジングの一対の対称な係止部に対する一対の対称な係合部とを有して、選択的に１８０°反転して該ハウジングに装着可能であることを特徴とする電線接続器。
【請求項２】
前記電線取出部が前記ハウジングの厚み方向又は幅方向に突出したことを特徴とする請求項１記載の電線接続器。
【請求項３】
前記端子に続く前記電線の小径な芯線露出部が前記直交する方向に屈曲し、該電線の大径な絶縁被覆部が前記電線取出部に沿って配索されたことを特徴とする請求項１又は２に記載の電線接続器。
【請求項４】
前記電線取出部材がベース部と前記カバー部とで構成され、該ベース部の側壁に該側壁よりも窪んだ凹部が設けられ、該凹部内に該ベース部の係止部が設けられ、該カバー部の係合部が該凹部内に収容されつつ該係止部に係合することを特徴とする請求項１〜３の何れかに記載の電線接続器。
【発明の詳細な説明】
【技術分野】
【０００１】
本発明は、例えば電気自動車のメンテナンス時等に回路を遮断するサービスプラグ等として適用される電線接続器に関するものである。
【背景技術】
【０００２】
図１１は、従来の電線接続器の一形態を示すものである。
【０００３】
この電線接続器７１は、ハイブリッドカーを含む電気自動車の電池パックに搭載され、メンテナンス等において作業者が感電を防止するために、上部のヒューズ付きのプラグ７２を下側のコネクタ７３から引き抜いて、コネクタ７３の電線７４間の通電を遮断する所謂サービスプラグである。
【０００４】
各電線７４はコネクタ内の各雌端子（図示せず）に接続され、各雌端子はプラグ側のヒューズ（図示せず）の雄端子に接続されている。各電線７４はコネクタ７３の底部から下向きに導出されて、電池パック内の回路に接続されている。プラグ７２に低力嵌合用のレバー７５が回動自在に設けられ、レバー７５のカム孔にコネクタ７３の従動突起７６がスライド自在に係合している。
【０００５】
コネクタ７３の底部の左右の水平溝７７に電池パック側の水平なブラケット（図示せず）が挿入され、プラグ７２を外した状態でコネクタ７３がボルト締めでブラケットに固定される。符号７８は遮断を検知するセンサ用回路である。上記に類似する電線接続器は、例えば特許文献１に記載されている。
【先行技術文献】
【特許文献】
【０００６】
【特許文献１】特開２００９−４８７９５号公報（図７〜図８）
【発明の概要】
【発明が解決しようとする課題】
【０００７】
しかしながら、上記した電線接続器７１にあっては、電線７４を一方向（下方）にしか取り出し（導出）できないために、例えば車両の設計変更や新設等で電線７４の取出方向が変わった場合や、電線取出方向に障害物がある等の場合に対処できないという問題があった。また、電池パックの狭いスペースに搭載するために、電線接続器７１を極力コンパクト化する必要があった。
【０００８】
本発明は、上記した点に鑑み、障害物等に対処して電線を簡単且つ確実に複数の方向に取り出すことができ、それに加えて外観をコンパクト化することのできる電線接続器を提供することを目的とする。
【課題を解決するための手段】
【０００９】
上記目的を達成するために、本発明の請求項１に係る電線接続器は、電線付きの一対の端子を挿入収容するハウジングと、該ハウジングの底部に装着される電線取出部材とを備え、該ハウジングが底壁に端子挿入用兼電線貫通用の一対の孔部を有し、該電線取出部材が、該端子の挿入方向とは直交する方向に突出した一対の電線取出部と、該一対の電線取出部の各上壁に設けられ、該電線取出部内を該孔部に連通させる端子挿入用兼電線貫通用の一対の開口と、各上壁に対向して各電線取出部の下部開口を塞ぐカバー部と、該ハウジングの一対の対称な係止部に対する一対の対称な係合部とを有して、選択的に１８０°反転して該ハウジングに装着可能であることを特徴とする。
【００１０】
上記構成により、ハウジングの底部の孔部からハウジング内に電線付きの端子が垂直に挿入され、電線が底部の孔部から垂直に電線取出部材の開口を経て電線取出部内に屈曲して水平に配索され、電線取出部から外部に水平に導出される。電線は垂直ではなく水平に取り出されるから、電線取出部材の下側に障害物がある場合でも何ら支障なく電線を配索できる。また、電線の取出方向に障害物がある場合は、電線取出部材をハウジングから外した状態で１８０°反転させてハウジングに装着することで、電線の取出方向が逆となり、障害物を避けることができる。ハウジングの一対の係止部と電線取出部材の一対の係合部とがそれぞれ対称に配置されているので、固定側のハウジングに対して電線取出部材を反転した状態で再度係止することができる。ここで、係止部や係合部あるいは電線取出部や孔部や開口の「一対」とは少なくとも一対の意味であり、二対であっても対称であればよい。
【００１１】
請求項２に係る電線接続器は、請求項１記載の電線接続器において、前記電線取出部が前記ハウジングの厚み方向又は幅方向に突出したことを特徴とする。
【００１２】
上記構成により、電線がハウジングの厚み方向すなわちハウジングの短辺側の壁部に沿う方向に取り出される。
【００１４】
あるいは、電線がハウジングの幅方向すなわちハウジングの長辺側の壁部に沿う方向に取り出される。前記した電線の取出方向とは９０°反転した方向に電線が取り出される。
【００１７】
請求項３に係る電線接続器は、請求項１又は２記載の電線接続器において、前記端子に続く前記電線の小径な芯線露出部が前記直交する方向に屈曲し、該電線の大径な絶縁被覆部が前記電線取出部に沿って配索されたことを特徴とする。
【００１８】
上記構成により、小径な芯線露出部が絶縁被覆部におけるよりも小さな力でスムーズに屈曲される。また、柔軟な絶縁被覆表面を有する絶縁被覆部が電線取出部内で押圧や挟持等の手段で位置ずれなく確実に保持される。
【００２１】
請求項４に係る電線接続器は、請求項１〜３の何れかに記載の電線接続器において、前記電線取出部材がベース部と前記カバー部とで構成され、該ベース部の側壁に該側壁よりも窪んだ凹部が設けられ、該凹部内に該ベース部の係止部が設けられ、該カバー部の係合部が該凹部内に収容されつつ該係止部に係合することを特徴とする。
【００２２】
上記構成により、係止部が係止突起である場合、凹部内に収容されてベース部の外面から外側に突出しないので、ベース部がコンパクト化される。また、カバー部の係合部（例えば係合枠片）が凹部内に収容され、外部との干渉が起こらないので、不意な係止解除が防止される。
【発明の効果】
【００２３】
請求項１記載の発明によれば、設計変更等で電線の取出方向が変わったり、電線の取出方向に障害物等がある場合でも、電線取出部材の向きを反転させてハウジングに装着することで、簡単且つ確実に電線の取出方向を変えることができる。これにより、低コストで容易に設計変更や障害物等に対処して電線接続器から電線を所望の方向に導出させることができる。
【００２４】
請求項２記載の発明によれば、例えばハウジングを厚み方向に障害物に接近させた状態で、電線を障害物とは反対の方向に取り出すことができる。
【００２５】
あるいは、例えばハウジングを幅方向に障害物に接近させた状態で、電線を障害物とは反対の方向に取り出すことができる。
【００２７】
請求項３記載の発明によれば、電線の小径な芯線露出部を小さな力でスムーズ且つ確実に９０°方向に屈曲させることができ、屈曲後は芯線露出部の復元反力が小さいので、芯線露出部に続く端子や絶縁被覆部をハウジング内や電線取出部内に位置ずれなく容易に保持させることができる。
【００２９】
請求項４記載の発明によれば、突起状の係止部を凹部内に収容してベース部の外面から外側に突出させないので、ベース部すなわち電線取出部材をコンパクト化することができる。これにより、電気自動車の電池パック等の狭いスペースに電線接続器を容易に搭載することができる。また、カバー部の係合部を同じく凹部内に収容することで、係合部と外部との干渉を防いで、不意な係止解除すなわちカバー部の開きを防止して、電線の取出方向を確保することができる。
【図面の簡単な説明】
【００３０】
【図１】本発明に係る電線接続器の一実施形態を示す斜視図である。
【図２】同じく電線接続器のハウジングと電線取出部材を示す分解斜視図である。
【図３】ハウジング内に電線付きの雌端子を挿入する状態を示す斜視図である。
【図４】電線取出部材のカバー部を閉止する状態を示す分解斜視図である。
【図５】同じく電線接続器の電線の取出状態を示す縦断面図である。
【図６】（ａ）（ｂ）は同じく電線接続器の電線取出方向を二方向に設定した状態をそれぞれ示す側面図である。
【図７】（ａ）（ｂ）は障害物に応じて電線取出方向を規定した状態を示す側面図である。
【図８】本発明に係る電線接続器の他の実施形態を示す斜視図である。
【図９】（ａ）（ｂ）は同じく電線接続器の電線取出方向を二方向に設定した状態をそれぞれ示す正面図である。
【図１０】（ａ）（ｂ）は固定用のブラケットと電線接続器との装着方向をそれぞれ示す分解斜視図である。
【図１１】従来の電線接続器の一形態を示す斜視図である。
【発明を実施するための形態】
【００３１】
図１〜図６は、本発明に係る電線接続器の一実施形態を示すものである。
【００３２】
図１の如く、この電線接続器１は、電線付きの雌端子（端子）２（図３）を収容したコネクタ４と、コネクタ内に上部開口５から挿入されるプラグ（図示せず）と、コネクタ４の底部に装着される電線取出用のアタッチメントすなわち電線取出部材６とで構成されるものである。
【００３３】
プラグについては従来同様であるので図示を省略している。プラグは、内側にヒューズ等の導電体と、導電体に接続された一対の下向きの雄端子とを有しており、レバーの回動操作でコネクタ４の従動突起４２をスライドさせて、コネクタ４に低力で挿抜される。
【００３４】
コネクタ４は、絶縁樹脂製のハウジング７と、ハウジング内に収容された一対の上向きの雌端子２（図３）とで構成されている。ハウジング７は、前後左右の垂直な壁部８，９と底壁１０（図２）と、前後の壁部８を連結した二枚の隔壁１１と、隔壁１１で区画された左右端の空室内に設けられた一対の端子収容部１２とを有している。端子収容部１２は絶縁樹脂製の周壁で囲まれた端子収容室を有し、端子収容室内に雌端子係止用の可撓性のランス（図示せず）を有している。
【００３５】
図２の如く各端子収容部１２の端子収容室は、底壁１０と、底壁外面に突設された矩形環状の短い各脚壁１３とを貫通して脚壁１３の中央に矩形状の孔部１４として開口している。図１の端子収容部１２の上端には、プラグ側の雄端子（図示せず）を挿入するスリット状の開口１２ａが設けられている。図１の中間の空室内の底壁にはボルト挿通用の一つの孔部１５（図２）が設けられている。
【００３６】
図１，図２の如く、ハウジング７の前後の壁部８の上端側に従動突起４２が設けられ、左右の壁部９の中央の下端側に同一形状の係止突起（係止部）１６が対称に設けられている。各係止突起１６は逆凹字状のリブで構成され、上半の垂直面１６ａ（図２）に続く上端の水平な係止面１６ｂと、下半の下向きの傾斜面１６ｃとを有している。なお、明細書で上下前後左右の方向性は説明の便宜上のものであり、必ずしも電線接続器１の取付方向と一致するとは限らない。
【００３７】
図１の電線取出部材６は絶縁樹脂を材料として、図２のベース部６ａと図４のカバー部６ｂとで構成されている。図２のベース部６ａは、左右のベース部本体１７から前向きに（ハウジング７の厚み方向に）水平に突出した一対の電線取出部１８と、両電線取出部１８の間で左右のベース部本体１７を連結する中央の連結部１９と、各電線取出部１８の外端側すなわち右側の電線取出部１８の右端上部と左側の電線取出部１８の左端上部とに立設された可撓性の一対の係合枠片（係合部）２０とを備えている。
【００３８】
左右の電線取出部１８は同じ形状で対称に配置され、左右の係合枠片２０も同じ形状で対称に配置されている。これにより、ハウジング７に同じ電線取出部材６を選択的に前後反転して装着できるようになっている（このことは図６で詳述する）。
【００３９】
中央の連結部１９は電線取出部１８よりも低く配置され、図３の如くハウジング７の底壁１０との間に固定用ブラケットを挿入するための空間２１を構成する。連結部１９の前後方向長さはハウジング７の前後方向長さと同程度であり、電線取出部１８はハウジング７よりも前方に突出している。
【００４０】
図２の如く、各電線取出部１８は、水平な上壁２２（図１）と左右の垂直な側壁２３と垂直な前壁２４と下部開口２５とを有し、各ベース部本体１７は上壁２６と左右の壁部２７と後壁２８とを有し、それぞれ各壁部２２〜２８で囲まれた内側に電線挿通用の空間を有している。前壁２４に電線取出用の略逆Ｕ字状の開口２９が設けられ、左右の側壁２３の間に左右一対の電線案内壁３０が設けられ、開口２９は電線案内壁３０の内側の空間に連通し、ベース部本体１７の上壁２６に電線貫通用の矩形状の開口（孔部）３１が設けられ、案内壁３０内の空間は上部開口３１に直交して連通し、図３の如く上部開口３１はハウジング７の底壁１０の孔部１４に連通する。案内壁３０の内側には電線押さえ用の複数の円弧状のリブが突設されている。
【００４１】
図１の如く上壁２６の左右端に一対の前記係合枠片２０が上向きに突設され、各係合枠片２０は対称に配置され、中央に縦長な孔部２０ａを有している。係合枠片２０の横幅はハウジング７の左右の側壁９の幅と同程度に広く、左右の側壁９を挟むようにしっかりと保持する。係合枠片２０の一側端に対向してハウジング７の側壁９に位置決め用のリブ３２が突設されている。係合枠片２０に続いて上壁２６（図２）に矩形環状の枠壁３３が上向きに低く突設され、枠壁３３内にハウジング７の底部の脚壁１３が進入係合する。
【００４２】
各枠壁３３は対称に配置され、各枠壁３３の側部中央に各係合枠片２０の孔部２０ａの中心が位置している。各枠壁３３の中央（中心）に図２の上壁２６の電線挿通用の開口３１が位置している。これにより、電線取出部材６を前後反転させて使用可能である。
【００４３】
図２の如く、各電線取出部１８の左右の側壁２３は内側に没入し、各側壁２３は前後の垂直な突壁３４の間の凹部空間３５に位置し、各側壁２３の外面に、カバー部６ｂ（図４）に対する係止突起３５が設けられ、係止突起３５は凹部３６内に位置している。各電線取出部１８の外側の側壁２３の外面は段差状の突壁３４を経てベース部本体１７の側壁２７の最外面（符号２７で代用）に続き、係止突起３５の突出高さは最外面２７や突壁３４よりも低く（外側に突出することなく）位置している。これにより、最外面２７から係止突起３５が外側に突出した場合に較べて、ベース部６ａ（電線取出部材６）が横幅方向にコンパクト化されている。
【００４４】
また、左右のベース部本体１７の後壁２８は、電線取出部１８の側壁２３と同様に内向きに凹状にへこんでおり、その凹部３６内に、カバー部６ｂに対する係止突起（係止部）３５（図５）を有している。これにより、凹部３６を有さない場合に較べて、電線取出部材６が前後方向にコンパクト化されている。各係止突起３５は下向きの傾斜面と上向きの水平な係止面を有している。電線取出部材６のコンパクト化で電池パック側の狭いスペースに容易に電線接続器１を装着できると共に、樹脂材の使用量を低減できる。
【００４５】
図４の如く、カバー部６ｂは、ベース部６ａに対応して平面視で略コの字状に形成された水平な基板部３８と、基板部３８の左右の突板部３９の左右端と、基板部３８の後端とから上向きに立設された可撓性の係合枠片（係合部）４０と、突出板部３９から上向きに突出した電線押さえ用の円弧面を有する突壁４１とを備えている。
【００４６】
図１の如く各係合枠片４０がベース部６ａの凹部３６内で係止突起３５に係合することで、電線取出部材６のコンパクト化が促進されている。また、左右の係合枠片４０の前後端や後側の係合枠片の左右端がそれぞれ凹部３６の両側の突壁３４に近接対向することで、係合枠片４０が外部と干渉を起こし難く、不意な係止外れが防止されている。
【００４７】
図２の矢印方向にベース部６ａをハウジング７に組み付け係止させ、図３の矢印方向に各雌端子付きの電線３をベース部６ａの孔部３４からハウジング内に挿入して雌端子２を係止させ、図４，図５の如く電線３を手前に９０°方向に屈曲させて、電線取出部１８内に水平に配索しつつ前端の開口２９から導出させ、カバー部６ｂを矢印方向に組み付けて閉止することで、図１のコネクタ４と電線取出部材６との組立体（プラグを挿入する前の図１の状態でも電線接続器と称する）を得る。
【００４８】
図５の如く、ハウジング７内に雌端子２が垂直に位置し、雌端子２の下半の圧着部に続く電線の皮剥きされた芯線（導体）露出部３ａが前向きに９０°方向に屈曲され、芯線部分３ａを覆う絶縁被覆部３ｂが水平に配置されて前部開口２９から外部に取り出されて（導出されて）いる。
【００４９】
大径な絶縁被覆部３ｂではなく小径な芯線露出部３ａを屈曲することで、電線３の屈曲を小さな力でスムーズ且つ確実に行うことができ、電線３の屈曲復元力に起因するカバー部６ｂの閉止困難や係止外れといった心配もなくなる。また、電線３を従来（図１１）のように下向きに真直に導出させるのではなく、９０°方向に屈曲させたことで、車両等の外部振動や外部からの電線３の引張力が雌端子２に伝わり難くなり、プラグ内の導電体の雄端子（図示せず）との接触の信頼性が向上する。
【００５０】
図５において、電線３の芯線屈曲部からベース部６ａの後部下端までの絶縁距離Ｌ１や、芯線３ａの露出端（絶縁被覆３ｂの先端）からベース部６ａの前端までの絶縁距離Ｌ２は、規格に対して十分大きく確保されている。
【００５１】
図６（ａ）（ｂ）の如く、ハウジング７に対して電線取出部材６を選択的に前後反転して装着することで、電線３の取出方向を所望の二方向の何れかに設定することができる。これは、左右一対の係合枠片２０が対称に配置され、左右一対の電線取出部１８が対称に配置され、電線挿通用の一対の孔部１４や開口３１（図２）が左右対称に配置され、左右一対の枠壁３３が対称に配置され、且つ孔部１４と開口３１と係合枠片２０と枠壁３３との中心が同一の仮想垂直面上に位置した構成により可能となっている。
【００５２】
図６（ａ）は図１に対応し、図６（ｂ）は図１に対して電線取出部材６を後向きに反転させて装着した状態である。図６で、符号１６は、ハウジング７の係止突起、４０は、カバー部６ｂの小さな係合枠片、３５は、ベース部６ａの小さな係止突起をそれぞれ示す。
【００５３】
図７（ａ）（ｂ）の如く、電線３の取出方向が前後何れの方向でも、電線接続器１の下側には電線３が導出されないから、下側に障害物４３があっても何ら支障はない。図７（ａ）の如く、電線接続器１の後側に障害物４４がある場合は、図７（ｂ）の如くハウジング７に電線取出部材６を前後反転させて装着し、電線３を前向きに取り出すことで、後側の障害物４４と電線３との干渉を防ぎ、電線３をスムーズに配索することができる。
【００５４】
図８〜図１０は、本発明に係る電線接続器の他の実施形態を示すものである。
【００５５】
この電線接続器５１は、図１の例の電線接続器１に較べて、電線３の取出方向を前後方向すなわちハウジング７の厚み方向ではなく、左右方向すなわちハウジング７の幅広の前後の壁部に沿う方向（幅方向）としたものである。
【００５６】
コネクタ４の構成は図１の例と同じであるので、同じ構成部分に同じ符号を付して説明を省略する。電線取出部材５２の内部構造は図２〜図５におけると基本的（原理的）に同じであるので図示を省略する。図１の電線取出部材６の構成と同じ部分には同じ符号を付して説明を省略する。
【００５７】
図８の如く、電線取出部材５２は絶縁樹脂製のベース部５２ａとカバー部５２ｂとで構成され、ベース部５２ａは、左右のベース部本体５３と、各ベース部本体５３から右方向に突出した各電線取出部５４と、左右のベース部本体５３を連結する中央の連結部５５とで構成されている。
【００５８】
連結部５５の上側の空間２１（図９）に図１０のブラケット５７が挿入され、ブラケット５７の孔部５７ａとハウジング７の底壁１０の孔部１５とを貫通してボルト５８が挿通され、ブラケット５７の裏面側のナット５７ｂに締付固定される。
【００５９】
図８の左右のベース部本体５３は、水平な上壁と前後左右の垂直な壁部とを有し、上壁はハウジング７の前後方向の厚みと略同程度の前後方向の幅と、ハウジング７の左右方向の幅と略同程度の左右方向の幅とを有している。
【００６０】
上壁の左右端に各係合枠片２０が立設され、各係合枠片２０にハウジング７の各係止突起１６が係合している。上壁の左右に一対の矩形状の枠壁３３が突設され、枠壁内にハウジング７の底部の脚壁１３が係合している。枠壁３３の中央において上壁に電線貫通用の開口（孔部）１４が設けられ、開口１４はベース部本体５３の内側空間を経て各電線取出部５４の内側空間に連通している。
【００６１】
前壁５３ａのほぼ中央に第一の電線取出部５４が一体に設けられ、右壁５３ｂに第二の電線取出部５４が一体に設けられている。各電線取出部５４は段違いに平行に右方向を向き、先端（右端）に電線取出用の開口２９を有し、各開口２９から電線３が右方向に取り出されて（導出されて）いる。
【００６２】
第一の電線取出部５４の先端右壁５４ａはベース部本体５２ａの前壁５３ａに直交して段差状に位置し、第二の電線取出部５４の基端はベース部本体５３の右壁５３ｂに一体に続いている。ベース部本体５２ａの下端と各電線取出部５４の下端と連結部５５の下端とは同一水平面に位置している。第一の電線取出部５４の基端５４ｂは後向きに屈曲してベース部本体５３の前壁５３ａに交差して続き、第二の電線取出部５４はベース部本体５３の右壁５３ｂから真直にベース部長手方向（右方向）に突出している。
【００６３】
第一の電線取出部５４の前壁５４ａと第二の電線取出部５４の前後の壁部と、図９（ｂ）のベース本体５２ａの後壁５３ｃとに、それぞれ凹部３６が設けられ、各凹部３６内に可撓性の係止枠部（係止部）５９が設けられ、各係止枠部５９にカバー部５２ｂの係合爪（係合部）６０が進入係合している。係止枠部５９は左右の壁部と前又は後の低い壁部とで構成され、電線取出部５４やベース部本体５３の奥壁との間に上下方向の貫通した爪部進入空間を構成する。
【００６４】
係止枠部５９の左右の壁部に近接対向して、電線取出部５４の左右の突壁３４が位置し、突壁３４の先端面は電線取出部５４等の壁部の最外面と同一面に位置し、突壁３４で係止枠部５９が外部との干渉等から保護されて、不意な係止外れが防止されている。凹部３６内に係止枠部５９が位置したことで、係止枠部５９の保護と共に、ベース部５２ａ（電線取出部材５２）が前後方向にコンパクト化されている。
【００６５】
第一の電線取出部５４に水平に収容された電線３は電線取出部５４の基端側５４ｂで水平方向に屈曲し、上壁の電線貫通用の開口３１の下側で９０°方向に上向きに屈曲してハウジング７内の一方の雌端子２に続き、第二の電線取出部５４に水平に収容された電線３は上壁の電線貫通用の開口３１の下側で９０°方向に上向きに屈曲してハウジング内の他方の雌端子２に続いている。電線３は小径な芯線露出部３ａで屈曲され、大径な絶縁被覆部３ｂは水平に配索される。
【００６６】
図９（ａ）（ｂ）の如く、同じハウジング７に対して電線取出部材５２を選択的に左右に反転させて装着することで、電線３の取出方向を左右何れかの所望の方向に設定することができる。これは、図１の実施形態と同様に、左右の係止枠片２０が対称に配置され、左右の枠壁３３とその内側の電線貫通用の開口３１とが対称に配置されたことによるものである。
【００６７】
図１０（ａ）（ｂ）の如く、バッテリパック側のブラケット５７は同一の電線接続器１に対して異なる二方向（前後方向）から挿入することができる。実際にはブラケット５７はバッテリパック側に固定されているので、電線取出部材５２を左右反転させてコネクタハウジング７に組み付けた状態で、同じブラケット５７に固定することができる。
【００６８】
ブラケット５７の中央の板部５７ｃが電線取出部材５２の中央の連結部５５の上部空間２１に挿入されて、ボルト５８で締付固定される。中央の板部５７ｃにはボルト挿通用の孔部５７ａと裏面側のナット５７ｂとが設けられている。ブラケット５７の左右の板部５７ｄはハウジング７の左右外側に位置する。
【００６９】
上記各実施形態において、コネクタハウジング７は同一（共通）であるので、一つの同じハウジング７に対して、図１の電線取出部材６と図８の電線取出部材５２とを適宜選択して用いることで、前後左右計四方向の電線取り出しが可能となる。
【００７０】
上記各実施形態の電線接続器１は、雌端子２を使用しているから、例えばＬ字状の雄端子（図示せず）を使用した場合に較べて、中継端子が不要となり（雄端子の場合は中継端子を介してプラグの雄端子に接続される）、構造が簡素化・コンパクト化される。また、雄端子とベース部６ａの外壁との間の絶縁距離が短くなりやすいのに対して、電線３の芯線露出部３ａとベース部６ａの外壁との間の絶縁距離Ｌ１，Ｌ２は十分長く確保される。
【００７１】
なお、上記各実施形態においては、電線接続器１をサービスプラグであるとして説明したが、サービスプラグに代えて上記電線接続器１をワイヤハーネスのコネクタや機器接続用のコネクタ等に適用することも可能である。この場合、ヒューズを有するプラグに代えて、雄端子を有する相手コネクタが使用される（相手側コネクタは電線接続器１の一部ではない）。
【００７２】
また、電線接続器１が大型である場合は、ハウジング７の係止突起１６を対称に二対配設し、電線取出部材６，５２の係合枠片２０を対称に二対配設することも可能である。また、係止部として係止突起１６に代えて係止爪や可撓性の係止アーム等を用いたり、係合部として係合枠片２０に代えて係合溝や係合穴や係合凹部等を用いることも可能である。
【００７３】
また、上記した本発明の構成は、電線接続器として以外に、電線接続器の電線取出構造や電線接続器の電線取出方法等としても有効なものである。
【産業上の利用可能性】
【００７４】
本発明に係る電線接続器は、例えばハイブリッドカーを含む電気自動車の電池パックにおけるメンテナンス時等の電源遮断用のサービスプラグとして利用することができる。サービスプラグ以外では、ワイヤハーネスのコネクタや機器接続用のコネクタ等としても利用することができる。
【符号の説明】
【００７５】
１，５１      電線接続器
２            雌端子（端子）
３            電線
３ａ          芯線露出部
３ｂ          絶縁被覆部
６，５２      電線取出部材
６ａ，５２ａ  ベース部
６ｂ，５２ｂ  カバー部
７            ハウジング
１４          孔部
１６          係止突起（係止部）
１８，５４    電線取出部
２０          係合枠片（係合部）
３１          開口
３５          係止突起（係止部）
３６          凹部
４０          係合枠片（係合部）
５９          係止枠部（係止部）
６０          係合爪（係合部）
【図１】
0005474449.tif 000002
【図２】
0005474449.tif 000003
【図３】
0005474449.tif 000004
【図４】
0005474449.tif 000005
【図５】
0005474449.tif 000006
【図６】
0005474449.tif 000007
【図７】
0005474449.tif 000008
【図８】
0005474449.tif 000009
【図９】
0005474449.tif 000010
【図１０】
0005474449.tif 000011
【図１１】
0005474449.tif 000012